(57)【要約】      （修正有）【課題】フィルタメディアの孔よりはるかに大きい開口を有しており、フィルタメディアの支持及び／又は良好な排水を可能とする、支持・ドレネージ材の提供。【解決手段】複数の別個の第１の要素５００を具備し、第１の要素５００は第１の折畳み可能な領域１００を具備し、第１の折畳み可能な領域１００が、第１及び第２の端部１１、１２と、これらの端部間の折り目又はヒンジ１５を有するメッシュ又は不織布を具備し、折り畳まれたときの第１の要素５００の折り目又はヒンジ１５から第１の端部１１までの長さは、第２の端部１２までの長さより大きく、第１の要素５００が別個のプリーツ付きフィルタ１５００のプリーツに接触し、第１の部分１Ｐ１がプリーツの一方の側に接触し、第２の部分１Ｐ２が前記プリーツの他方の側に接触し、第１の部分１Ｐ１が、隣り合う別個の第１の要素５００’の第２の部分１Ｐ２’に接触するようになっている、支持・ドレネージ材。【選択図】図１
2020099896.tif 000002
【特許請求の範囲】
【請求項１】
複数の別個の第１の要素を具備する支持・ドレネージ材であって、
各々の別個の第１の要素が、第１の折畳み可能な領域を具備し、前記第１の折畳み可能な領域が、第１の端部及び第２の端部、並びに前記第１の端部と前記第２の端部との間の折り目又はヒンジを有するメッシュ又は不織布を具備し、前記第１の折畳み可能な領域が、前記第１の端部から前記第２の端部へ延びる第１の主表面と、前記第１の端部から前記第２の端部へ延びる第２の主表面とを有し、前記第１の折畳み可能な領域が、前記第１の折畳み可能な領域を通って前記第１の主表面と前記第２の主表面との間に延びる第１のバルクを有し、
折り畳まれたときの各々の別個の第１の要素の前記折り目又はヒンジから前記第１の端部までの長さが、前記折り目又は前記ヒンジから前記第２の端部までの長さより大きく、前記折り目又は前記ヒンジから前記第１の端部までの前記長さが、第１の部分を含み、前記折り目又は前記ヒンジから前記第２の端部までの長さが、第２の部分を含み、
前記支持・ドレネージ材が、複数のプリーツを具備するプリーツ付きフィルタとともに使用するのに適しており、各々の別個の第１の要素が別個のプリーツに接触し、したがって前記第１の部分がプリーツの一方の側に接触し、前記第２の部分が前記プリーツの他方の側に接触し、前記別個の第１の要素のうちの１つの前記第１の部分が、隣り合う別個の第１の要素の第２の部分に接触する、支持・ドレネージ材。
【請求項２】
複数の別個の第１の要素を具備する支持・ドレネージ材であって、
（Ａ）各々の別個の第１の要素が、第１の折畳み可能な領域を具備し、前記第１の折畳み可能な領域が、第１の端部及び第２の端部、並びに前記第１の端部と前記第２の端部との間の折り目又はヒンジを有するメッシュ又は不織布を具備し、前記第１の折畳み可能な領域が、前記第１の端部から前記第２の端部へ延びる第１の主表面と、前記第１の端部から前記第２の端部へ延びる第２の主表面とを有し、前記第１の折畳み可能な領域が、前記第１の折畳み可能な領域を通って前記第１の主表面と前記第２の主表面との間に延びる第１のバルクを有し、
（ｉ）折り畳まれたときの各々の別個の第１の要素の前記折り目又は前記ヒンジから前記第１の端部までの長さが、前記折り目又は前記ヒンジから前記第２の端部までの長さより大きく、前記折り目又は前記ヒンジから前記第１の端部までの長さが、第１の部分を含み、前記折り目又は前記ヒンジから前記第２の端部までの長さが、第２の部分を含み、
（Ｂ）各々の別個の第１の要素が、第２の折畳み可能な領域をさらに具備し、前記第２の折畳み可能な領域が、第１の端部及び第２の端部、並びに前記第１の端部と前記第２の端部との間の折り目又はヒンジを有するメッシュ又は不織布を具備し、前記第２の折畳み可能な領域が、前記第１の端部から前記第２の端部へ延びる第１の主表面と、前記第１の端部から前記第２の端部へ延びる第２の主表面とを有し、前記第２の折畳み可能な領域が、前記第２の折畳み可能な領域を通って前記第１の主表面と前記第２の主表面との間に延びる第２のバルクを有し、
（ｉｉ）折り畳まれたときの各々の別個の第２の層の前記折り目又は前記ヒンジから前記第１の端部までの長さが、前記折り目又は前記ヒンジから前記第２の端部までの長さより大きく、前記折り目又は前記ヒンジから前記第１の端部までの長さが、第３の部分を含み、前記折り目又は前記ヒンジから前記第２の端部までの長さが、第４の部分を含み、
（Ｃ）各々の第２の層が、それぞれの別個の第１の層に接触して配置され、したがって各々の別個の第２の層の前記第２の主表面が、各々のそれぞれの第１の層の前記第１の主表面に接触する、支持・ドレネージ材。
【請求項３】
各々の別個の第２の層の前記第３の部分が、各々のそれぞれの別個の第１の要素の前記第１の層の前記第１の部分に接触する、請求項２に記載の支持・ドレネージ材。
【請求項４】
各々の第１の部分の長さが、各々の第３の部分の長さより少なくとも約１５％大きい、請求項３に記載の支持・ドレネージ材。
【請求項５】
支持・ドレネージ材を具備する支持・ドレネージ材システムであって、
（Ａ）前記支持・ドレネージ材が複数の別個の第１の要素を具備し、各々の第１の要素が、第１の折畳み可能な領域を具備し、前記第１の折畳み可能な領域が、第１の端部及び第２の端部、並びに前記第１の端部と前記第２の端部との間の折り目又はヒンジを有するメッシュ又は不織布を具備し、前記第１の折畳み可能な領域が、前記第１の端部から前記第２の端部へ延びる第１の主表面と、前記第１の端部から前記第２の端部へ延びる第２の主表面とを有し、前記第１の折畳み可能な領域が、前記第１の折畳み可能な領域を通って前記第１の主表面と前記第２の主表面との間に延びる第１のバルクを有し、
折り畳まれたときの各々の別個の第１の要素の前記折り目又は前記ヒンジから前記第１の端部までの長さが、前記折り目又は前記ヒンジから前記第２の端部までの長さより大きく、前記折り目又は前記ヒンジから前記第１の端部までの長さが、第１の部分を含み、前記折り目又は前記ヒンジから前記第２の端部までの長さが、第２の部分を含む、第１の要素と、
（Ｂ）複数の別個の第２の要素を具備し、各々の第２の要素が、第２の要素の第１の折畳み可能な領域を具備し、前記第２の要素の第１の折畳み可能な領域が、第１の端部及び第２の端部、並びに前記第１の端部と前記第２の端部との間の折り目又はヒンジを有するメッシュ又は不織布を具備し、前記第２の要素の第１の折畳み可能な領域が、前記第１の端部から前記第２の端部へ延びる第１の主表面と、前記第１の端部から前記第２の端部へ延びる第２の主表面とを有し、前記第２の要素の第１の折畳み可能な領域が、前記第２の要素の第１の折畳み可能な領域を通って前記第１の主表面と前記第２の主表面との間に延びる第２のバルクを有し、
折り畳まれたときの各々の別個の第２の要素の前記折り目又は前記ヒンジから前記第１の端部までの長さが、前記折り目又は前記ヒンジから前記第２の端部までの長さより大きく、前記折り目又は前記ヒンジから前記第１の端部までの長さが、第１の部分を含み、前記折り目又は前記ヒンジから前記第２の端部までの長さが、第２の部分を含む、第２の要素と
を具備し、
前記支持・ドレネージ材システムが、上流面及び下流面を有する複数のプリーツを具備するプリーツ付きフィルタとともに使用するのに適しており、
（ｉ）各々の別個の第１の要素が、プリーツの別個の上流面に接触し、したがって前記第１の部分が、プリーツの一方の上流側に接触し、前記第２の部分が、前記プリーツの他方の上流側に接触し、前記別個の第１の要素のうちの１つの前記第１の部分が、隣り合う別個の第１の要素の前記第２の部分に接触し、
（ｉｉ）各々の別個の第２の要素が、プリーツの別個の下流面に接触し、したがって前記第１の部分が、プリーツの一方の下流側に接触し、前記第２の部分が、前記プリーツの他方の下流側に接触し、別個の第２の要素のうちの１つの前記第１の部分が、隣り合う別個の第２の要素の前記第２の部分に接触する、支持・ドレネージ材システム。
【請求項６】
第１の支持・ドレネージ材及び別個の第２の支持・ドレネージ材を具備する支持・ドレネージ材システムであって、
（Ｉ）前記第１の支持・ドレネージ材が、
（Ａ）複数の別個の第１の要素を具備し、各々の別個の第１の要素が、第１の折畳み可能な領域を具備し、前記第１の折畳み可能な領域が、第１の端部及び第２の端部、並びに前記第１の端部と前記第２の端部との間の折り目又はヒンジを有するメッシュ又は不織布を具備し、前記第１の折畳み可能な領域が、前記第１の端部から前記第２の端部へ延びる第１の主表面し、前記第１の端部から前記第２の端部へ延びる第２の主表面しを有し、前記第１の折畳み可能な領域が、前記第１の折畳み可能な領域を通って前記第１の主表面と前記第２の主表面との間に延びる第１のバルクを有し、
（ｉ）折り畳まれたときの各々の別個の第１の要素の前記折り目又は前記ヒンジから前記第１の端部までの長さが、前記折り目又は前記ヒンジから前記第２の端部までの長さより大きく、前記折り目又は前記ヒンジから前記第１の端部までの長さが、第１の部分を含み、前記折り目又は前記ヒンジから前記第２の端部までの長さが、第２の部分を含み、
（Ｂ）各々の別個の第１の要素が、第２の折畳み可能な領域をさらに具備し、前記第２の折畳み可能な領域が、第１の端部及び第２の端部、並びに前記第１の端部と前記第２の端部との間の折り目又はヒンジを有するメッシュ又は不織布を具備し、前記第２の折畳み可能な領域が、前記第１の端部から前記第２の端部へ延びる第１の主表面と、前記第１の端部から前記第２の端部へ延びる第２の主表面とを有し、前記第２の折畳み可能な領域が、前記第２の折畳み可能な領域を通って前記第１の主表面と前記第２の主表面との間に延びる第２のバルクを有し、
（ｉｉ）折り畳まれたときの各々の第２の層の前記折り目又は前記ヒンジから前記第１の端部までの長さが、前記折り目又は前記ヒンジから前記第２の端部までの長さより大きく、前記折り目又は前記ヒンジから前記第１の端部までの長さが、第３の部分を含み、前記折り目又は前記ヒンジから前記第２の端部までの長さが、第４の部分を含み、
（Ｃ）各々の別個の第２の層が、それぞれの別個の第１の層に接触して配置され、したがって各々の別個の第２の層の前記第２の主表面が、各々のそれぞれの別個の第１の要素の前記第１の層の前記第１の主表面に接触し、
（ＩＩ）前記第２の支持・ドレネージ材が、
（Ｄ）複数の別個の第１の要素を具備し、各々の別個の第１の要素が、第１の折畳み可能な領域を具備し、前記第１の折畳み可能な領域が、第１の端部及び第２の端部、並びに第１の端部と第２の端部との間の折り目又はヒンジを有するメッシュ又は不織布を具備し、前記第１の折畳み可能な領域が、前記第１の端部から前記第２の端部へ延びる第１の主表面と、前記第１の端部から前記第２の端部へ延びる第２の主表面とを有し、前記第１の折畳み可能な領域が、前記第１の折畳み可能な領域を通って前記第１の主表面と前記第２の主表面との間に延びる第１のバルクを有し、
（ｉｉｉ）折り畳まれたときの各々の別個の第１の要素の前記折り目又は前記ヒンジから前記第１の端部までの長さが、前記折り目又は前記ヒンジから前記第２の端部までの長さより大きく、前記折り目又は前記ヒンジから前記第１の端部までの長さが、第１の部分を含み、前記折り目又は前記ヒンジから前記第２の端部までの長さが、第２の部分を含み、
（Ｅ）各々の別個の第１の要素が、第２の折畳み可能な領域をさらに具備し、前記第２の折畳み可能な領域が、第１の端部及び第２の端部、並びに前記第１の端部と前記第２の端部との間の折り目又はヒンジを有するメッシュ又は不織布を具備し、前記第２の折畳み可能な領域が、前記第１の端部から前記第２の端部へ延びる第１の主表面と、前記第１の端部から前記第２の端部へ延びる第２の主表面とを有し、前記第２の折畳み可能な領域が、前記第２の折畳み可能な領域を通って前記第１の主表面と前記第２の主表面との間に延びる第２のバルクを有し、
（ｉｖ）折り畳まれたときの各々の第２の層の前記折り目又は前記ヒンジから前記第１の端部までの長さが、前記折り目又は前記ヒンジから前記第２の端部までの長さより大きく、前記折り目又は前記ヒンジから前記第１の端部までの長さが、第３の部分を含み、前記折り目又は前記ヒンジから前記第２の端部までの長さが、第４の部分を含み、
（Ｆ）各々の第２の層が、それぞれの別個の第１の層に接触して配置され、したがって各々の別個の第２の層の前記第２の主表面が、各々のそれぞれの別個の第１の要素の前記第１の層の前記第１の主表面に接触し、
前記支持・ドレネージ材システムが、上流面及び下流面を有する複数のプリーツを具備するプリーツ付きフィルタとともに使用するのに適しており、
（ｖ）各々の第１の支持・ドレネージ材の各々の別個の第１の要素が、プリーツの別個の上流面に接触し、したがって前記第１の部分が、プリーツの一方の上流側に接触し、前記第２の部分が、前記プリーツの他方の上流側に接触し、前記第２の層のうちの１つの前記第４の部分が、隣り合う別個の第２の層の前記第３の部分に接触し、
（ｖｉ）各々の第２の支持・ドレネージ材の各々の別個の第１の要素が、プリーツの別個の下流面に接触し、したがって前記第１の部分が、プリーツの一方の下流側に接触し、前記第２の部分が、前記プリーツの他方の下流側に接触し、前記第２の層のうちの１つの前記第４の部分が、隣り合う別個の第２の層の前記第３の部分に接触する、支持・ドレネージ材システム。
【請求項７】
複数のプリーツを具備し、上流面及び下流面を有するプリーツ付き多孔質フィルタと、
請求項５に記載の支持・ドレネージ材システムと
を具備するフィルタシステムであって、
（ｉｉｉ）各々の別個の第１の要素が、プリーツの別個の上流面に接触し、したがって前記第１の部分が、プリーツの一方の上流側に接触し、前記第２の部分が、前記プリーツの他方の上流側に接触し、別個の第１の要素のうちの１つの前記第１の部分が、隣り合う別個の第１の要素の前記第２の部分に接触し、
（ｉｖ）各々の別個の第２の要素が、プリーツの別個の下流面に接触し、したがって前記第１の部分が、プリーツの一方の下流側に接触し、前記第２の部分が、前記プリーツの他方の下流側に接触し、別個の第２の要素のうちの１つの前記第１の部分が、隣り合う別個の第２の要素の前記第２の部分に接触する、フィルタシステム。
【請求項８】
複数のプリーツを具備し、上流面及び下流面を有するプリーツ付き多孔質フィルタと、
請求項６に記載の支持・ドレネージ材システムと
を具備するフィルタシステムであって、
（ｖｉｉ）各々の第１の支持・ドレネージ材の各々の別個の第１の要素が、プリーツの別個の上流面に接触し、したがって前記第１の部分が、プリーツの一方の上流側に接触し、前記第２の部分が、前記プリーツの他方の上流側に接触し、別個の第２の層のうちの１つの前記第４の部分が、隣り合う別個の第２の層の前記第３の部分に接触し、
（ｖｉｉｉ）各々の第２の支持・ドレネージ材の各々の別個の第１の要素が、プリーツの別個の下流面に接触し、したがって前記第１の部分が、プリーツの一方の下流側に接触し、前記第２の部分が、前記プリーツの他方の下流側に接触し、別個の第２の層のうちの１つの前記第４の部分が、隣り合う別個の第２の層の前記第３の部分に接触する、フィルタシステム。
【請求項９】
前記プリーツ付き多孔質フィルタが、レイドオーバープリーツフィルタを具備する、請求項７又は８に記載のフィルタシステム。
【請求項１０】
内側コア及び外側ケージをさらに具備する、請求項７〜９のいずれか一項に記載のフィルタシステム。
【請求項１１】
請求項７に記載のフィルタシステムに流体を通すステップを含み、前記第１の要素、前記プリーツ付き多孔質フィルタの前記上流面、前記プリーツ付き多孔質フィルタの前記下流面、及び前記第２の要素に流体を通すことを含む、流体を濾過する方法。
【請求項１２】
請求項８に記載のフィルタシステムに流体を通すステップを含み、前記第１の支持・ドレネージ材の前記第１の要素の第２の層及び前記第１の要素の第１の層、前記プリーツ付き多孔質フィルタの前記上流面、前記プリーツ付き多孔質フィルタの前記下流面、並びに前記第２の支持・ドレネージ材の前記第１及び第２の層に流体を通すことを含む、流体を濾過する方法。
【発明の詳細な説明】
【発明の背景】
【０００１】
[0001]複数の濾過用途において、メッシュなどの支持・ドレネージ要素（スクリーン又はネッティングとも呼ばれる）が利用されており、支持・ドレネージ（「Ｓ＆Ｄ」）要素は、多孔質フィルタメディアの上流及び／又は下流に配置される。支持・ドレネージ要素は、フィルタメディアの孔よりはるかに大きい開口を有しており、フィルタメディアへの支持及び／又はフィルタメディアに対する良好な排水を提供する。
【０００２】
[0002]しかし、改善された支持・ドレネージ要素が必要とされている。
【０００３】
[0003]本発明は、従来技術の欠点のうちの少なくともいくつかを改良することを提供する。本発明の上記及びその他の利点は、以下に述べる説明から明らかになる。
【発明の概要】
【０００４】
[0004]本発明の一実施形態は、複数の別個の第１の要素を具備する支持・ドレネージ材を提供し、各々の別個の第１の要素が、第１の折畳み可能な領域を具備し、第１の折畳み可能な領域が、第１の端部及び第２の端部、並びに第１の端部と第２の端部との間の折り目又はヒンジを有するメッシュ又は不織布を具備し、第１の折畳み可能な領域が、第１の端部から第２の端部へ延びる第１の主表面、及び第１の端部から第２の端部へ延びる第２の主表面を有し、第１の折畳み可能な領域が、第１の折畳み可能な領域を通って第１の主表面と第２の主表面との間に延びる第１のバルクを有し、折り畳まれたときの各々の別個の第１の要素の折り目又はヒンジから第１の端部までの長さが、折り目又はヒンジから第２の端部までの長さより大きく、折り目又はヒンジから第１の端部までの長さが、第１の部分を含み、折り目又はヒンジから第２の端部までの長さが、第２の部分を含み、支持・ドレネージ材が、複数のプリーツを具備する。プリーツ付きフィルタとともに使用するのに適しており、各々の別個の第１の要素が別個のプリーツに接触し、したがって第１の部分がプリーツの一方の側に接触し、第２の部分がプリーツの他方の側に接触し、別個の第１の要素のうちの１つの第１の部分が、隣り合う別個の第１の要素の第２の部分に接触する。
【０００５】
[0005]別の実施形態では、支持・ドレネージ材は、（Ａ）複数の別個の第１の要素を具備し、各々の別個の第１の要素が、第１の折畳み可能な領域を具備し、第１の折畳み可能な領域が、第１の端部及び第２の端部、並びに第１の端部と第２の端部との間の折り目又はヒンジを有するメッシュ又は不織布を具備し、第１の折畳み可能な領域が、第１の端部から第２の端部へ延びる第１の主表面、及び第１の端部から第２の端部へ延びる第２の主表面を有し、第１の折畳み可能な領域が、第１の折畳み可能な領域を通って第１の主表面と第２の主表面との間に延びる第１のバルクを有し、（ｉ）折り畳まれたときの各々の別個の第１の要素の折り目又はヒンジから第１の端部までの長さが、折り目又はヒンジから第２の端部までの長さより大きく、折り目又はヒンジから第１の端部までの長さが、第１の部分を含み、折り目又はヒンジから第２の端部までの長さが、第２の部分を含み、（Ｂ）各々の別個の第１の要素が、第２の折畳み可能な領域をさらに具備し、第２の折畳み可能な領域が、第１の端部及び第２の端部、並びに第１の端部と第２の端部との間の折り目又はヒンジを有するメッシュ又は不織布を具備し、第２の折畳み可能な領域が、第１の端部から第２の端部へ延びる第１の主表面、及び第１の端部から第２の端部へ延びる第２の主表面を有し、第２の折畳み可能な領域が、第２の折畳み可能な領域を通って第１の主表面と第２の主表面との間に延びる第２のバルクを有し、（ｉｉ）折り畳まれたときの各々の第２の層の折り目又はヒンジから第１の端部までの長さが、折り目又はヒンジから第２の端部までの長さより大きく、折り目又はヒンジから第１の端部までの長さが、第３の部分を含み、折り目又はヒンジから第２の端部までの長さが、第４の部分を含み、（Ｃ）各々の別個の第２の層が、それぞれの別個の第１の層に接触して配置され、したがって各々の別個の第２の層の第２の主表面が、各々のそれぞれの別個の第１の要素の第１の層の第１の主表面に接触する。
【０００６】
[0006]支持・ドレネージ材システムの一実施形態は、支持・ドレネージ材を具備し、支持・ドレネージ材が、（Ａ）複数の別個の第１の要素であって、各々の第１の要素が、第１の折畳み可能な領域を具備し、第１の折畳み可能な領域が、第１の端部及び第２の端部、並びに第１の端部と第２の端部との間の折り目又はヒンジを有するメッシュ又は不織布を具備し、第１の折畳み可能な領域が、第１の端部から第２の端部へ延びる第１の主表面、及び第１の端部から第２の端部へ延びる第２の主表面を有し、第１の折畳み可能な領域が、第１の折畳み可能な領域を通って第１の主表面と第２の主表面との間に延びる第１のバルクを有し、折り畳まれたときの各々の別個の第１の要素の折り目又はヒンジから第１の端部までの長さが、折り目又はヒンジから第２の端部までの長さより大きく、折り目又はヒンジから第１の端部までの長さが、第１の部分を含み、折り目又はヒンジから第２の端部までの長さが、第２の部分を含む、第１の要素と、（Ｂ）複数の別個の第２の要素であって、各々の第２の要素が、第２の要素の第１の折畳み可能な領域を具備し、第２の要素の第１の折畳み可能な領域が、第１の端部及び第２の端部、並びに第１の端部と第２の端部との間の折り目又はヒンジを有するメッシュ又は不織布を具備し、第２の要素の第１の折畳み可能な領域が、第１の端部から第２の端部へ延びる第１の主表面、及び第１の端部から第２の端部へ延びる第２の主表面を有し、第２の要素の第１の折畳み可能な領域が、第２の要素の第１の折畳み可能な領域を通って第１の主表面と第２の主表面との間に延びる第２のバルクを有し、折り畳まれたときの各々の別個の第２の要素の折り目又はヒンジから第１の端部までの長さが、折り目又はヒンジから第２の端部までの長さより大きく、折り目又はヒンジから第１の端部までの長さが、第１の部分を含み、折り目又はヒンジから第２の端部までの長さが、第２の部分を含む、第２の要素とを具備し、支持・ドレネージシステムが、上流面及び下流面を有する複数のプリーツを具備する。プリーツ付きフィルタとともに使用するのに適しており、（ｉ）各々の別個の第１の要素が、プリーツの別個の上流面に接触し、したがって第１の部分が、プリーツの一方の上流側に接触し、第２の部分が、プリーツの他方の上流側に接触し、別個の第１の要素のうちの１つの第１の部分が、隣り合う別個の第１の要素の第２の部分に接触し、（ｉｉ）各々の別個の第２の要素が、プリーツの別個の下流面に接触し、したがって第１の部分が、プリーツの一方の下流側に接触し、第２の部分が、プリーツの他方の下流側に接触し、別個の第２の要素のうちの１つの第１の部分が、隣り合う別個の第２の要素の第２の部分に接触する。
【０００７】
[0007]支持・ドレネージ材システムの別の実施形態が、第１の支持・ドレネージ材及び別個の第２の支持・ドレネージ材を具備し、（Ｉ）第１の支持・ドレネージ材が、（Ａ）複数の別個の第１の要素を具備し、各々の別個の第１の要素が、第１の折畳み可能な領域を具備し、第１の折畳み可能な領域が、第１の端部及び第２の端部、並びに第１の端部と第２の端部との間の折り目又はヒンジを有するメッシュ又は不織布を具備し、第１の折畳み可能な領域が、第１の端部から第２の端部へ延びる第１の主表面、及び第１の端部から第２の端部へ延びる第２の主表面を有し、第１の折畳み可能な領域が、第１の折畳み可能な領域を通って第１の主表面と第２の主表面との間に延びる第１のバルクを有し、（ｉ）折り畳まれたときの各々の別個の第１の要素の折り目又はヒンジから第１の端部までの長さが、折り目又はヒンジから第２の端部までの長さより大きく、折り目又はヒンジから第１の端部までの長さが、第１の部分を含み、折り目又はヒンジから第２の端部までの長さが、第２の部分を含み、（Ｂ）各々の別個の第１の要素が、第２の折畳み可能な領域をさらに具備し、第２の折畳み可能な領域が、第１の端部及び第２の端部、並びに第１の端部と第２の端部との間の折り目又はヒンジを有するメッシュ又は不織布を具備し、第２の折畳み可能な領域が、第１の端部から第２の端部へ延びる第１の主表面、及び第１の端部から第２の端部へ延びる第２の主表面を有し、第２の折畳み可能な領域が、第２の折畳み可能な領域を通って第１の主表面と第２の主表面との間に延びる第２のバルクを有し、（ｉｉ）折り畳まれたときの各々の第２の層の折り目又はヒンジから第１の端部までの長さが、折り目又はヒンジから第２の端部までの長さより大きく、折り目又はヒンジから第１の端部までの長さが、第３の部分を含み、折り目又はヒンジから第２の端部までの長さが、第４の部分を含み、（Ｃ）各々の第２の層が、それぞれの別個の第１の層に接触して配置され、したがって各々の別個の第２の層の第２の主表面が、各々のそれぞれの別個の第１の要素の第１の層の第１の主表面に接触し、（ＩＩ）第２の支持・ドレネージ材が、（Ｄ）複数の別個の第１の要素を具備し、各々の別個の第１の要素が、第１の折畳み可能な領域を具備し、第１の折畳み可能な領域が、第１の端部及び第２の端部、並びに第１の端部と第２の端部との間の折り目又はヒンジを有するメッシュ又は不織布を具備し、第１の折畳み可能な領域が、第１の端部から第２の端部へ延びる第１の主表面、及び第１の端部から第２の端部へ延びる第２の主表面を有し、第１の折畳み可能な領域が、第１の折畳み可能な領域を通って第１の主表面と第２の主表面との間に延びる第１のバルクを有し、（ｉｉｉ）折り畳まれたときの各々の別個の第１の要素の折り目又はヒンジから第１の端部までの長さが、折り目又はヒンジから第２の端部までの長さより大きく、折り目又はヒンジから第１の端部までの長さが、第１の部分を含み、折り目又はヒンジから第２の端部までの長さが、第２の部分を含み、（Ｅ）各々の別個の第１の要素が、第２の折畳み可能な領域をさらに具備し、第２の折畳み可能な領域が、第１の端部及び第２の端部、並びに第１の端部と第２の端部との間の折り目又はヒンジを有するメッシュ又は不織布を具備し、第２の折畳み可能な領域が、第１の端部から第２の端部へ延びる第１の主表面、及び第１の端部から第２の端部へ延びる第２の主表面を有し、第２の折畳み可能な領域が、第２の折畳み可能な領域を通って第１の主表面と第２の主表面との間に延びる第２のバルクを有し、（ｉｖ）折り畳まれたときの各々の第２の層の折り目又はヒンジから第１の端部までの長さが、折り目又はヒンジから第２の端部までの長さより大きく、折り目又はヒンジから第１の端部までの長さが、第３の部分を含み、折り目又はヒンジから第２の端部までの長さが、第４の部分を含み、（Ｆ）各々の別個の第２の層が、それぞれの別個の第１の要素に接触して配置され、したがって各々の別個の第２の層の第２の主表面が、各々のそれぞれの別個の第１の要素の第１の層の第１の主表面に接触し、支持・ドレネージシステムが、上流面及び下流面を有する複数のプリーツを具備する。プリーツ付きフィルタとともに使用するのに適しており、（ｖ）各々の第１の支持・ドレネージ材の各々の別個の第１の要素が、プリーツの別個の上流面に接触し、したがって第１の部分が、プリーツの一方の上流側に接触し、第２の部分が、プリーツの他方の上流側に接触し、別個の第２の層のうちの１つの第４の部分が、隣り合う別個の第２の層の第３の部分に接触し、（ｖｉ）各々の第２の支持・ドレネージ材の各々の別個の第１の要素が、プリーツの別個の下流面に接触し、したがって第１の部分が、プリーツの一方の下流側に接触し、第２の部分が、プリーツの他方の下流側に接触し、別個の第２の層のうちの１つの第４の部分が、隣り合う別個の第２の層の第３の部分に接触する。
【０００８】
[0008]フィルタ装置の一実施形態が、複数のプリーツを具備し、上流面及び下流面を有するプリーツ付き多孔質フィルタと、プリーツ付き多孔質フィルタの上流面又はプリーツ付き多孔質フィルタの下流面に接触するように配置された支持・ドレネージ材の一実施形態とを具備する。
【０００９】
[0009]本発明の一実施形態によるフィルタシステムが、複数のプリーツを具備し、上流面及び下流面を有するプリーツ付き多孔質フィルタと、支持・ドレネージ材システムの一実施形態とを具備し、（ｉｉｉ）各々の別個の第１の要素が、プリーツの別個の上流面に接触し、したがって第１の部分が、プリーツの一方の上流側に接触し、第２の部分が、プリーツの他方の上流側に接触し、別個の第１の要素のうちの１つの第１の部分が、隣り合う別個の第１の要素の第２の部分に接触し、（ｉｖ）各々の別個の第２の要素が、プリーツの別個の下流面に接触し、したがって第１の部分が、プリーツの一方の下流側に接触し、第２の部分が、プリーツの他方の下流側に接触し、別個の第２の要素のうちの１つの第１の部分が、隣り合う別個の第２の要素の第２の部分に接触する。
【００１０】
[0010]フィルタシステムの別の実施形態が、複数のプリーツを具備し、上流面及び下流面を有するプリーツ付き多孔質フィルタと、支持・ドレネージ材システムの一実施形態とを具備し、（ｖｉｉ）各々の第１の支持・ドレネージ材の各々の別個の第１の要素が、プリーツの別個の上流面に接触し、したがって第１の部分が、プリーツの一方の上流側に接触し、第２の部分が、プリーツの他方の上流側に接触し、別個の第２の層のうちの１つの第４の部分が、隣り合う別個の第２の層の第３の部分に接触し、（ｖｉｉｉ）各々の第２の支持・ドレネージ材の各々の別個の第１の要素が、プリーツの別個の下流面に接触し、したがって第１の部分が、プリーツの一方の下流側に接触し、第２の部分が、プリーツの他方の下流側に接触し、別個の第２の層のうちの１つの第４の部分が、隣り合う別個の第２の層の第３の部分に接触する。
【００１１】
[0011]流体を濾過する方法の実施形態もまた、本発明によって提供される。
【図面の簡単な説明】
【００１２】
【図１】本発明の一実施形態による複数の別個の第１の要素を具備し、各々の別個の第１の要素が、プリーツ付きフィルタのプリーツに接触するように配置された第１の折畳み可能な領域を具備する、支持・ドレネージ材の斜視図である。
【図２Ａ】図１に示す折り畳まれた第１及び第２の支持・ドレネージ材を具備し、第１及び第２の支持・ドレネージ材間にプリーツ付きフィルタを有する支持・ドレネージ材システムの一実施形態、並びに第１及び第２の支持・ドレネージ材間にプリーツ付きフィルタを具備するフィルタシステムの一実施形態の概略図であり、等角図を示している。
【図２Ｂ】図２Ａの側面図であり、矢印は流体流を示す。
【図３Ａ】支持・ドレネージ材が完全に折り畳まれている、図２Ａ〜図２Ｂに示す支持・ドレネージ材システム及びフィルタシステムの概略図であり、フィルタカートリッジを具備するフィルタシステムの一実施形態を示している。
【図３Ｂ】支持・ドレネージ材が完全に折り畳まれている、図２Ａ〜図２Ｂに示す支持・ドレネージ材システム及びフィルタシステムの概略図であり、フィルタカートリッジケージ及びコアのないフィルタシステムの等角図を示している。
【図４Ａ】フィルタシステムのさらに別の実施形態及び支持・ドレネージ材システムの一実施形態（分解図に示す）を示し、支持・ドレネージ材システムが、別個の第１及び第２のＳ＆Ｄ材を具備し、第１及び第２のＳ＆Ｄ材が各々、複数の要素を具備し、複数の要素が各々、プリーツ付きフィルタのプリーツに接触するように配置された第１及び第２の折畳み可能な領域を具備し、各々の第２の層が、それぞれの第１の層に接触して配置され、したがって各々の別個の第２の層の第２の主表面が、各々の別個の第１の要素の各々のそれぞれの第１の層の第１の主表面に接触する図である。この図４Ａは、別個の層に対する例示的なプリーツ高さ面を示している。
【図４Ｂ】フィルタプリーツに対する要素及び層の上流及び下流の配置を示している。
【図５Ａ】第１の層に接触する第２の層を具備する個々のインサートの一実施形態を示す図であり、斜視図を示している。
【図５Ｂ】図５Ａの側断面図である。
【図６】図５Ａ〜図５Ｂに示す複数のインサートを含むフィルタシステム及び支持・ドレネージ材システムの一実施形態（矢印は流体流を示す）の側断面図である。
【図７Ａ】従来の厚さが一定のＳ＆Ｄ材（左側）と本発明の一実施形態によるＳ＆Ｄ材（右側）とを比較して、プリーツ付きフィルタメディアの半プリーツを通っているフィルタメディアを横切る流体の流速と、上流及び下流の支持・ドレネージ（Ｓ＆Ｄ）材内の流体の流速との差を概略的に示す図である。
【図７Ｂ】先細りしたＳ＆Ｄ材と従来の厚さが一定のＳ＆Ｄ材とを比較して、プリーツ付きフィルタ内の最大フィルタ面積の例示的な利点を示す図である。
【発明を実施するための形態】
【００１３】
[0019]本発明の一実施形態は、複数の別個の第１の要素を具備する支持・ドレネージ材を提供し、各々の別個の第１の要素が、第１の折畳み可能な領域を具備し、第１の折畳み可能な領域が、第１の端部及び第２の端部、並びに第１の端部と第２の端部との間の折り目又はヒンジを有するメッシュ又は不織布を具備し、第１の折畳み可能な領域が、第１の端部から第２の端部へ延びる第１の主表面、及び第１の端部から第２の端部へ延びる第２の主表面を有し、第１の折畳み可能な領域が、第１の折畳み可能な領域を通って第１の主表面と第２の主表面との間に延びる第１のバルクを有し、折り畳まれたときの各々の別個の第１の要素の折り目又はヒンジから第１の端部までの長さが、折り目又はヒンジから第２の端部までの長さより大きく、折り目又はヒンジから第１の端部までの長さが、第１の部分を含み、折り目又はヒンジから第２の端部までの長さが、第２の部分を含み、支持・ドレネージ材が、複数のプリーツを具備する。プリーツ付きフィルタとともに使用するのに適しており、各々の別個の第１の要素が別個のプリーツに接触し、したがって第１の部分がプリーツの一方の側に接触し、第２の部分がプリーツの他方の側に接触し、別個の第１の要素のうちの１つの第１の部分が、隣り合う別個の第１の要素の第２の部分に接触する。
【００１４】
[0020]別の実施形態では、支持・ドレネージ材は、（Ａ）複数の別個の第１の要素を具備し、各々の別個の第１の要素が、第１の折畳み可能な領域を具備し、第１の折畳み可能な領域が、第１の端部及び第２の端部、並びに第１の端部と第２の端部との間の折り目又はヒンジを有するメッシュ又は不織布を具備し、第１の折畳み可能な領域が、第１の端部から第２の端部へ延びる第１の主表面、及び第１の端部から第２の端部へ延びる第２の主表面を有し、第１の折畳み可能な領域が、第１の折畳み可能な領域を通って第１の主表面と第２の主表面との間に延びる第１のバルクを有し、（ｉ）折り畳まれたときの各々の別個の第１の要素の折り目又はヒンジから第１の端部までの長さが、折り目又はヒンジから第２の端部までの長さより大きく、折り目又はヒンジから第１の端部までの長さが、第１の部分を含み、折り目又はヒンジから第２の端部までの長さが、第２の部分を含み、（Ｂ）各々の別個の第１の要素が、第２の折畳み可能な領域をさらに具備し、第２の折畳み可能な領域が、第１の端部及び第２の端部、並びに第１の端部と第２の端部との間の折り目又はヒンジを有するメッシュ又は不織布を具備し、第２の折畳み可能な領域が、第１の端部から第２の端部へ延びる第１の主表面、及び第１の端部から第２の端部へ延びる第２の主表面を有し、第２の折畳み可能な領域が、第２の折畳み可能な領域を通って第１の主表面と第２の主表面との間に延びる第２のバルクを有し、（ｉｉ）折り畳まれたときの各々の第２の層の折り目又はヒンジから第１の端部までの長さが、折り目又はヒンジから第２の端部までの長さより大きく、折り目又はヒンジから第１の端部までの長さが、第３の部分を含み、折り目又はヒンジから第２の端部までの長さが、第４の部分を含み、（Ｃ）各々の別個の第２の層が、それぞれの別個の第１の層に接触して配置され、したがって各々の別個の第２の層の第２の主表面が、各々のそれぞれの別個の第１の要素の第１の層の第１の主表面に接触する。
【００１５】
[0021]一実施形態では、各々の別個の第２の層の第３の部分は、第１の要素の各々のそれぞれの第１の層の第１の部分に接触する。
【００１６】
[0022]別法又は追加として、支持・ドレネージ材の一実施形態では、各々の第１の部分の長さが、各々の第３の部分の長さより少なくとも約１５％大きい。
【００１７】
[0023]支持・ドレネージ材システムの一実施形態は、支持・ドレネージ材を具備し、支持・ドレネージ材が、（Ａ）複数の別個の第１の要素であって、各々の第１の要素が、第１の折畳み可能な領域を具備し、第１の折畳み可能な領域が、第１の端部及び第２の端部、並びに第１の端部と第２の端部との間の折り目又はヒンジを有するメッシュ又は不織布を具備し、第１の折畳み可能な領域が、第１の端部から第２の端部へ延びる第１の主表面、及び第１の端部から第２の端部へ延びる第２の主表面を有し、第１の折畳み可能な領域が、第１の折畳み可能な領域を通って第１の主表面と第２の主表面との間に延びる第１のバルクを有し、折り畳まれたときの各々の別個の第１の要素の折り目又はヒンジから第１の端部までの長さが、折り目又はヒンジから第２の端部までの長さより大きく、折り目又はヒンジから第１の端部までの長さが、第１の部分を含み、折り目又はヒンジから第２の端部までの長さが、第２の部分を含む、第１の要素と、（Ｂ）複数の別個の第２の要素であって、各々の第２の要素が、第２の要素の第１の折畳み可能な領域を具備し、第２の要素の第１の折畳み可能な領域が、第１の端部及び第２の端部、並びに第１の端部と第２の端部との間の折り目又はヒンジを有するメッシュ又は不織布を具備し、第２の要素の第１の折畳み可能な領域が、第１の端部から第２の端部へ延びる第１の主表面、及び第１の端部から第２の端部へ延びる第２の主表面を有し、第２の要素の第１の折畳み可能な領域が、第２の要素の第１の折畳み可能な領域を通って第１の主表面と第２の主表面との間に延びる第２のバルクを有し、折り畳まれたときの各々の別個の第２の要素の折り目又はヒンジから第１の端部までの長さが、折り目又はヒンジから第２の端部までの長さより大きく、折り目又はヒンジから第１の端部までの長さが、第１の部分を含み、折り目又はヒンジから第２の端部までの長さが、第２の部分を含む、第２の要素とを具備し、支持・ドレネージシステムが、上流面及び下流面を有する複数のプリーツを具備する。プリーツ付きフィルタとともに使用するのに適しており、（ｉ）各々の別個の第１の要素が、プリーツの別個の上流面に接触し、したがって第１の部分が、プリーツの一方の上流側に接触し、第２の部分が、プリーツの他方の上流側に接触し、別個の第１の要素のうちの１つの第１の部分が、隣り合う別個の第１の要素の第２の部分に接触し、（ｉｉ）各々の別個の第２の要素が、プリーツの別個の下流面に接触し、したがって第１の部分が、プリーツの一方の下流側に接触し、第２の部分が、プリーツの他方の下流側に接触し、別個の第２の要素のうちの１つの第１の部分が、隣り合う別個の第２の要素の第２の部分に接触する。
【００１８】
[0024]支持・ドレネージ材システムの別の実施形態が、第１の支持・ドレネージ材及び別個の第２の支持・ドレネージ材を具備し、（Ｉ）第１の支持・ドレネージ材が、（Ａ）複数の別個の第１の要素を具備し、各々の別個の第１の要素が、第１の折畳み可能な領域を具備し、第１の折畳み可能な領域が、第１の端部及び第２の端部、並びに第１の端部と第２の端部との間の折り目又はヒンジを有するメッシュ又は不織布を具備し、第１の折畳み可能な領域が、第１の端部から第２の端部へ延びる第１の主表面、及び第１の端部から第２の端部へ延びる第２の主表面を有し、第１の折畳み可能な領域が、第１の折畳み可能な領域を通って第１の主表面と第２の主表面との間に延びる第１のバルクを有し、（ｉ）折り畳まれたときの各々の別個の第１の要素の折り目又はヒンジから第１の端部までの長さが、折り目又はヒンジから第２の端部までの長さより大きく、折り目又はヒンジから第１の端部までの長さが、第１の部分を含み、折り目又はヒンジから第２の端部までの長さが、第２の部分を含み、（Ｂ）各々の別個の第１の要素が、第２の折畳み可能な領域をさらに具備し、第２の折畳み可能な領域が、第１の端部及び第２の端部、並びに第１の端部と第２の端部との間の折り目又はヒンジを有するメッシュ又は不織布を具備し、第２の折畳み可能な領域が、第１の端部から第２の端部へ延びる第１の主表面、及び第１の端部から第２の端部へ延びる第２の主表面を有し、第２の折畳み可能な領域が、第２の折畳み可能な領域を通って第１の主表面と第２の主表面との間に延びる第２のバルクを有し、（ｉｉ）折り畳まれたときの各々の第２の層の折り目又はヒンジから第１の端部までの長さが、折り目又はヒンジから第２の端部までの長さより大きく、折り目又はヒンジから第１の端部までの長さが、第３の部分を含み、折り目又はヒンジから第２の端部までの長さが、第４の部分を含み、（Ｃ）各々の第２の層が、それぞれの別個の第１の層に接触して配置され、したがって各々の別個の第２の層の第２の主表面が、各々のそれぞれの別個の第１の要素の第１の層の第１の主表面に接触し、（ＩＩ）第２の支持・ドレネージ材が、（Ｄ）複数の別個の第１の要素を具備し、各々の別個の第１の要素が、第１の折畳み可能な領域を具備し、第１の折畳み可能な領域が、第１の端部及び第２の端部、並びに第１の端部と第２の端部との間の折り目又はヒンジを有するメッシュ又は不織布を具備し、第１の折畳み可能な領域が、第１の端部から第２の端部へ延びる第１の主表面、及び第１の端部から第２の端部へ延びる第２の主表面を有し、第１の折畳み可能な領域が、第１の折畳み可能な領域を通って第１の主表面と第２の主表面との間に延びる第１のバルクを有し、（ｉｉｉ）折り畳まれたときの各々の別個の第１の要素の折り目又はヒンジから第１の端部までの長さが、折り目又はヒンジから第２の端部までの長さより大きく、折り目又はヒンジから第１の端部までの長さが、第１の部分を含み、折り目又はヒンジから第２の端部までの長さが、第２の部分を含み、（Ｅ）各々の別個の第１の要素が、第２の折畳み可能な領域をさらに具備し、第２の折畳み可能な領域が、第１の端部及び第２の端部、並びに第１の端部と第２の端部との間の折り目又はヒンジを有するメッシュ又は不織布を具備し、第２の折畳み可能な領域が、第１の端部から第２の端部へ延びる第１の主表面、及び第１の端部から第２の端部へ延びる第２の主表面を有し、第２の折畳み可能な領域が、第２の折畳み可能な領域を通って第１の主表面と第２の主表面との間に延びる第２のバルクを有し、（ｉｖ）折り畳まれたときの各々の第２の層の折り目又はヒンジから第１の端部までの長さが、折り目又はヒンジから第２の端部までの長さより大きく、折り目又はヒンジから第１の端部までの長さが、第３の部分を含み、折り目又はヒンジから第２の端部までの長さが、第４の部分を含み、（Ｆ）各々の別個の第２の層が、それぞれの別個の第１の要素に接触して配置され、したがって各々の別個の第２の層の第２の主表面が、各々のそれぞれの別個の第１の要素の第１の層の第１の主表面に接触し、支持・ドレネージシステムが、上流面及び下流面を有する複数のプリーツを具備する。プリーツ付きフィルタとともに使用するのに適しており、（ｖ）各々の第１の支持・ドレネージ材の各々の別個の第１の要素が、プリーツの別個の上流面に接触し、したがって第１の部分が、プリーツの一方の上流側に接触し、第２の部分が、プリーツの他方の上流側に接触し、別個の第２の層のうちの１つの第４の部分が、隣り合う別個の第２の層の第３の部分に接触し、（ｖｉ）各々の第２の支持・ドレネージ材の各々の別個の第１の要素が、プリーツの別個の下流面に接触し、したがって第１の部分が、プリーツの一方の下流側に接触し、第２の部分が、プリーツの他方の下流側に接触し、別個の第２の層のうちの１つの第４の部分が、隣り合う別個の第２の層の第３の部分に接触する。
【００１９】
[0025]フィルタ装置の一実施形態が、複数のプリーツを具備し、上流面及び下流面を有するプリーツ付き多孔質フィルタと、プリーツ付き多孔質フィルタの上流面又はプリーツ付き多孔質フィルタの下流面に接触するように配置された支持・ドレネージ材の一実施形態とを具備する。。
【００２０】
[0026]フィルタシステムの別の実施形態が、複数のプリーツを具備し、上流面及び下流面を有するプリーツ付き多孔質フィルタと、支持・ドレネージ材システムの一実施形態とを具備し、（ｖｉｉ）各々の第１の支持・ドレネージ材の各々の別個の第１の要素が、プリーツの別個の上流面に接触し、したがって第１の部分が、プリーツの一方の上流側に接触し、第２の部分が、プリーツの他方の上流側に接触し、別個の第２の層のうちの１つの第４の部分が、隣り合う別個の第２の層の第３の部分に接触し、（ｖｉｉｉ）各々の第２の支持・ドレネージ材の各々の別個の第１の要素が、プリーツの別個の下流面に接触し、したがって第１の部分が、プリーツの一方の下流側に接触し、第２の部分が、プリーツの他方の下流側に接触し、別個の第２の層のうちの１つの第４の部分が、隣り合う別個の第２の層の第３の部分に接触する。
【００２１】
[0027]フィルタシステムの一実施形態では、プリーツ付き多孔質フィルタは、レイドオーバープリーツフィルタを構成する。別法又は追加として、フィルタシステムの一実施形態では、システムは、内側コア及び外側ケージをさらに具備する。。
【００２２】
[0028]流体を濾過する方法が、フィルタシステムの一実施形態に流体を通すステップを含み、少なくとも１つの第１の要素、プリーツ付き多孔質フィルタの上流面、プリーツ付き多孔質フィルタの下流面、及び少なくとも１つの第２の要素に流体を通すこと、又は第１の支持・ドレネージ材の第２の層及び第１の層、プリーツ付き多孔質フィルタの上流面、プリーツ付き多孔質フィルタの下流面、並びに第２の支持・ドレネージ材の第１及び第２の層に流体を通すことを含む。
【００２３】
[0029]支持・ドレネージ材は、フィルタメディア（プリーツ付き又はプリーツなし）の層同士の間に配置されたとき、支持及び均一の間隔を提供しながら（対向する表面のメッシュにおけるストランドが互いに重なり合うのではなく互いの間に嵌合する入れ子状態を低減又は防止することを含む）、低減された沿層方向の流れ抵抗を呈し（したがって支持・ドレネージ材内の圧力降下が、フィルタ要素における圧力降下より小さくなる）、以てフィルタ要素の表面における流体の均等の分布及び低減された表面損失を提供することが有利な点である。
【００２４】
[0030]プリーツ付きフィルタとともに使用されるとき、支持・ドレネージ材は、フィルタメディアの損傷（特に、膜の損傷）を低減させ、より均一の流れ分布（フィルタのプリーツ付き先端を通る流れを含む）を可能にし、安定したプリーツパックを提供することができる。さらに、ヒンジを含む支持・ドレネージ材が、従来のプリーツ加工デバイスに適合する。
【００２５】
[0031]さらに、プリーツ付きフィルタとともに使用されるとき、先細りした材料を使用することで、全体的により細いプリーツピッチが得られ、所与の体積につきより多くのフィルタ材を得ることを可能にしながら、望ましい差圧を維持し、濾過効率を改善することができる。
【００２６】
[0032]さらに、局所流量が必要な流れ面積に相関しないために無駄になる面積があることを本発明者らが見出した従来の厚さが一定の支持・ドレネージ要素とは対照的に、本発明の支持・ドレネージ材は、局所流量を必要な流れ面積により良好に整合させることができることが有利な点である。
【００２７】
[0033]例証として、図７Ａは、従来の厚さが一定のＳ＆Ｄ材（左側）と本発明の一実施形態によるＳ＆Ｄ材（右側）とを比較して、プリーツ付きフィルタメディアの半プリーツを通っているフィルタメディアを横切る流体の流速と、上流及び下流の支持・ドレネージ（Ｓ＆Ｄ）材内の流体の流速との差を概略的に示す。局所流量が必要な流れ面積に相関しないために面積が無駄になり、速度が変動する可能性がある、従来の厚さが一定のＳ＆Ｄ要素とは対照的に、本発明のＳ＆Ｄ材は、局所流量を必要な流れ面積により良好に整合させ、速度を一定に保つことができることが有利な点である。図７Ｂは、先細りしたＳ＆Ｄ材と従来の厚さが一定のＳ＆Ｄ材とを比較して、プリーツ付きフィルタ内の最大フィルタ面積の例示的な利点を示し、ここで水平軸線上の「０」は、Ｓ＆Ｄ材が極小に薄く、Ｓ＆Ｄ材を先細りさせることによってフィルタ面積を増大させる可能性がないことを示し、水平軸線上の「１」は、フィルタ材が極小に薄く、この場合、フィルタ面積を２倍に増大させることができることを示す。図６Ｂは、Ｓ＆Ｄ材の一端がゼロの厚さまで先細りする限界内で実現することができる最大値を示唆しており、実際の状況はこの曲線を下回る。
【００２８】
[0034]支持・ドレネージ材は、平坦若しくは平面、又は実質上平坦若しくは平面とすることができ、いくつかの実施形態では、支持・ドレネージ材は湾曲しており、又は湾曲させることができる。
【００２９】
[0035]本発明の実施形態は、フラットプリーツフィルタパック、直流螺旋フィルタ、積層型ディスクフィルタ、直交流カセットを含む様々なフィルタ構成とともに使用するのに適しており、「レイドオーバープリーツ」（ＬＯＰ）フィルタ構成（たとえば、米国特許第５，５４３，０４７号に記載）に特に適している。
【００３０】
[0036]本発明の各構成要素について、以下でより詳細に次に説明し、同様の構成要素は同様の参照番号を有する。上流及び下流のＳ＆Ｄ材がそれぞれ同じ構成要素で示されている場合、対応する構成要素は、類似の参照番号とそれに続く「’」によって識別され、たとえば、５００’は５００に対応し、１０００’は１０００に対応し、以下同様である。
【００３１】
[0037]図１は、複数の別個の第１の要素（インサート）５００を具備する。本発明による第１の支持・ドレネージ材１０００の一実施形態を、分解され、部分的に組み立てられた図に示し、各々の別個の第１の要素５００は、折畳み可能な領域１００を具備し、折畳み可能な領域１００は、多孔質プリーツ付きフィルタ要素１５０１を具備する。多孔質プリーツ付きフィルタ１５００のプリーツの両面に接触するように配置される。以下により詳細に説明するように、図１はまた、複数の別個の第１の要素５００’（下流の第１の要素５００’は、以下で「第２の要素」とも呼ばれる）を具備する。本発明による第２の支持・ドレネージ材１０００’の一実施形態も示し、各々の別個の第１の要素５００’は、折畳み可能な領域を具備し、折畳み可能な領域は、プリーツ付きフィルタのプリーツの両面に接触するように配置される。この図はまた、別個の第１の支持・ドレネージ材１０００及び別個の第２の支持・ドレネージ材１０００’を具備する。支持・ドレネージ材システム２５００の一実施形態を示し、第１の支持・ドレネージ材は、プリーツ付きフィルタの上流に配置され、第２の支持・ドレネージ材は、プリーツ付きフィルタの下流に配置される。フィルタシステム２０００の図示の実施形態は、多孔質プリーツ付きフィルタ要素１５０１を具備する。多孔質プリーツ付きフィルタ１５００を具備し、支持・ドレネージ材１０００、１０００’は、フィルタの上流及び下流に配置される。
【００３２】
[0038]図１に示す実施形態では、各々の第１の要素５００が、第１の折畳み可能な領域１００を具備し、第１の折畳み可能な領域１００は、第１の端部１１及び第２の端部１２、並びに第１の端部と第２の端部との間の折り目（又はヒンジ）１５を有するメッシュ又は不織布を具備し、第１の折畳み可能な領域は、第１の端部から第２の端部へ延びる第１の主表面１０１、及び第１の端部から第２の端部へ延びる第２の主表面１０２を有し、第１の折畳み可能な領域は、第１の折畳み可能な領域を通って第１の主表面と第２の主表面との間に延びる第１のバルクＢ１を有し、折り畳まれたときの各々の別個の第１の要素の折り目又はヒンジから第１の端部までの長さが、折り目又はヒンジから第２の端部までの長さより大きく、折り目又はヒンジから第１の端部までの長さが、第１の部分１Ｐ１を含み、折り目又はヒンジから第２の端部までの長さが、第２の部分１Ｐ２を含む。この図はまた、各々の第２の要素５００’に対しても同じ配置及び対応する構成要素を示す。
【００３３】
[0039]図２は、図１に基づいている組み立てられた支持・ドレネージシステム及びフィルタシステムの一実施形態を示し、図２Ａは等角図を提供し、図２Ｂは側面図を提供する。図２Ｂは特に、多孔質プリーツ付きフィルタ要素１５０１を具備する。多孔質プリーツ付きフィルタ１５００の上流に配置された要素５００を具備する。第１の支持・ドレネージ材１０００と、プリーツ付きフィルタの下流に配置された要素５００’を具備する。第２の支持・ドレネージ材１０００’とを示し、各々の別個の第１の要素５００は、プリーツの別個の上流面に接触し、したがって第１の部分１Ｐ１が、プリーツの一方の上流側に接触し、第２の部分１Ｐ２が、プリーツの他方の上流側に接触し、別個の第１の要素のうちの１つの第１の部分１Ｐ１が、隣り合う別個の第１の要素の第２の部分１Ｐ２に接触し（図３Ａも参照されたい）、各々の別個の第２の要素５００’は、プリーツの別個の下流面に接触し、したがって第１の部分１Ｐ１’が、プリーツの一方の下流側に接触し、第２の部分１Ｐ２’が、プリーツの他方の下流側に接触し、別個の第２の要素５００’のうちの１つの第１の部分１Ｐ１’が、隣り合う別個の第２の要素の第２の部分１Ｐ２’に接触する。図２Ｂはまた、支持・ドレネージシステム及びフィルタシステムを通る流体流を示す矢印を含み、流体は、第１の要素、プリーツ付き多孔質フィルタの上流面、プリーツ付き多孔質フィルタの下流面、及び第２の要素を通過する。
【００３４】
[0040]図３は、図２Ａ〜図２Ｂに示す支持・ドレネージシステム及びフィルタシステムの様々な概略図を示し、支持・ドレネージ材は完全に折り畳まれており、したがって支持・ドレネージ材の側縁部は、フィルタメディアの端部と同一平面であり、流れを防止するようにともに封止されている。
【００３５】
[0041]湾曲した又は湾曲可能な支持・ドレネージ材を有する実施形態が、ＬＯＰフィルタ構成（たとえば、米国特許第５，５４３，０４７号に記載）に特に適している。たとえば、フィルタシステム２０００は、外側ケージ１６１０、内側コア１６１１、及び多孔質プリーツ付きフィルタ要素１５０１を具備する。多孔質プリーツ付きフィルタ１５００を具備し、（矢印は流体流を示し、またプリーツ付きフィルタのプリーツ先端を保護する外側折り目、及び折り畳まれてプリーツ付きフィルタのプリーツ根元を支持する内側折り目も示す）、プリーツ付きフィルタがＬＯＰ構成を有する、フィルタカートリッジ１６００の一実施形態、並びに図２Ａ及び図２Ｂに概略的に示すように、要素５００、５００’を具備する。個々の支持・ドレネージ材（インサート）１０００、１０００’の実施形態（図４Ａ、図４Ｂ、及び図６に示す支持・ドレネージ材にも該当する）として、図３Ａに示されており、第１の支持・ドレネージ要素５００及び第２の支持・ドレネージ材５００’は、互いに対して１８０度反転し（Ｓ＆Ｄ要素システム２５００の一実施形態を提供する）、プリーツ付きフィルタの各プリーツ間に配置され、したがって各インサート要素の両面が、各フィルタプリーツの面に接触し、それぞれのインサートの外側先端が、ケージの内面又は内側コアの外面に接触し、プリーツ先端及びプリーツ根元をケージ又はコアから隔置し、したがってプリーツ先端及びプリーツ根元を保護しながら、流体流が通るのを可能にする。
【００３６】
[0042]図３Ａはまた、隣り合うＳ＆Ｄ要素が、高流量領域内に２つの層のメッシュ／不織布を提供し、低流量領域内に１つの層のメッシュ／不織布を提供することも示す（図２Ｂ、図７Ａ、及び図７Ｂも参照されたい）。
【００３７】
[0043]図３Ｂは、フィルタカートリッジのケージ及びコアがないフィルタシステム及びＳ＆Ｄシステムの等角図を示す。
【００３８】
[0044]図４は、本発明による別個の第１及び第２の支持・ドレネージ材の別の実施形態を、分解され、部分的に組み立てられた図に示し、各支持・ドレネージ材は、第１の折畳み可能な領域及び第２の折畳み可能な領域を具備する。第１の要素を具備する。図４Ａは、別個の層に対する例示的なプリーツ高さ面を示し、図４Ｂは、フィルタプリーツに対する要素及び層の上流及び下流の配置を示す。
【００３９】
[0045]第１の支持・ドレネージ材１０００が複数の別個の第１の要素５００を具備し、各々の別個の第１の要素５００が第１の折畳み可能な領域１００を具備し、第２の支持・ドレネージ材１０００’が複数の別個の第２の要素５００’を具備し、各々の複数の別個の第２の要素５００’が第１の折畳み可能な領域１００’を具備する。図１とは対照的に、図４に示す第１の支持・ドレネージ材１０００の実施形態は、複数の別個の第１の要素５００を具備し、各々の別個の第１の要素５００が、第１の折畳み可能な領域１００及び第２の折畳み可能な領域２００を具備し、第２の支持・ドレネージ材１０００’の実施形態は、複数の別個の第２の要素５００’を具備し、各々の別個の第２の要素５００’が、第１の折畳み可能な領域１００’及び第２の折畳み可能な領域２００’を具備する。。
【００４０】
[0046]したがって、図４Ａ及び図４Ｂに示すように（図５Ａ、図５Ｂ、及び図６により詳細に示す）、各々の示されている別個の支持・ドレネージ材１０００、１０００’は、（Ａ）複数の別個の第１の要素５００、５００’を具備し、各々の別個の第１の要素が、第１の折畳み可能な領域１００、１００’を具備し、第１の折畳み可能な領域１００、１００’が、第１の端部１１、１１’及び第２の端部１２、１２’、並びに第１の端部と第２の端部との間の折り目（又はヒンジ）１５、１５’を有するメッシュ又は不織布を具備し、第１の折畳み可能な領域が、第１の端部から第２の端部へ延びる第１の主表面１０１、１０１’、及び第１の端部から第２の端部へ延びる第２の主表面１０２、１０２’を有し、第１の折畳み可能な領域が、第１の折畳み可能な領域を通って第１の主表面と第２の主表面との間に延びる第１のバルクＢ１、Ｂ１’を有し、（ｉ）折り畳まれたときの各々の別個の第１の要素の折り目又はヒンジから第１の端部までの長さが、折り目又はヒンジから第２の端部までの長さより大きく、折り目又はヒンジから第１の端部までの長さが、第１の部分１Ｐ１、１Ｐ１’を含み、折り目又はヒンジから第２の端部までの長さが、第２の部分１Ｐ２、１Ｐ２’を含み、（Ｂ）各々の別個の第１の要素が、第２の折畳み可能な領域２００、２００’をさらに具備し、第２の折畳み可能な領域２００、２００’が、第１の端部２１、２１’及び第２の端部２２、２２’、並びに第１の端部と第２の端部との間の折り目２５、２５’を有するメッシュ又は不織布を具備し、第２の折畳み可能な領域が、第１の端部から第２の端部へ延びる第１の主表面２０１、及び第１の端部から第２の端部へ延びる第２の主表面２０２を有し、第２の折畳み可能な領域が、第２の折畳み可能な領域を通って第１の主表面と第２の主表面との間に延びる第２のバルクＢ２、Ｂ２’を有し、（ｉｉ）折り畳まれたときの各々の別個の第２の層の折り目又はヒンジから第１の端部までの長さが、折り目又はヒンジから第２の端部までの長さより大きく、折り目又はヒンジから第１の端部までの長さが、第３の部分２Ｐ３、２Ｐ３’を含み、折り目又はヒンジから第２の端部までの長さが、第４の部分２Ｐ４、２Ｐ４’を含み、（Ｃ）各々の別個の第２の層が、それぞれの第１の層に接触して配置され、したがって各々の別個の第２の層の第２の主表面が、各々のそれぞれの別個の第１の要素の第１の層の第１の主表面に接触する。第１の支持・ドレネージ材は、プリーツ付きフィルタの上流に配置され、第２の支持・ドレネージ材は、プリーツ付きフィルタの下流に配置される。
【００４１】
[0047]図５は、個々の第１の層１００に接触する個々の第２の層２００を具備する。個々のインサート５００の一実施形態を示す。図５Ａは斜視図を示し、図５Ｂは側断面図を示し、第２の層の第３の部分２Ｐ３が、第１の層の第１の部分１Ｐ１に接触し、（図４Ａにも示すように）第１の部分の長さは、第３の部分の長さより少なくとも約１５％大きく、様々なプリーツ高さ（たとえば、全プリーツ高さ、プリーツ高さの５０％、プリーツ高さの２５％など）に対応する部分を提供することができる。
【００４２】
[0048]図６は、図５Ａ〜図５Ｂに示す複数のインサートを含むフィルタシステムの一実施形態及び支持・ドレネージ材システムの一実施形態（矢印は流体流を示す）の側断面図を示す。図６はまた、各々の第１の支持・ドレネージ材の各々の別個の第１の要素が、プリーツの別個の上流面に接触し、したがって第１の部分が、プリーツの一方の上流側に接触し、第２の部分が、プリーツの他方の上流側に接触し、別個の第２の層のうちの１つの第４の部分が、隣り合う別個の第２の層の第３の部分に接触し、各々の第２の支持・ドレネージ材の各々の別個の第１の要素が、プリーツの別個の下流面に接触し、したがって第１の部分が、プリーツの一方の下流側に接触し、第２の部分が、プリーツの他方の下流側に接触し、別個の第２の層のうちの１つの第４の部分が、隣り合う別個の第２の層の第３の部分に接触することも示す。
【００４３】
[0049]折畳み可能な領域が互いに接触しておらず、バルク厚さの差により先細りした又は階段状の流路チャンネルが提供される場合の長さと比較すると、たとえば図２Ｂ、図３Ａ、及び図６に示すように、折畳み可能な領域が互いに接触するとき、これによりバルク厚さを増大させた長さが提供される。先細りした厚さのバルクを提供するとき、これにより先細りしていない標準の支持・ドレネージメディアと同じ圧縮レベルでより大きいフィルタメディア面積が可能になることが有利な点である。
【００４４】
[0050]支持・ドレネージ材（メッシュ及び布）は、濾過される流体及び温度などの該当する濾過パラメータに適した任意の適した材料から製作することができる。
【００４５】
[0051]支持・ドレネージ材は、たとえば、積層造形（「積層製造」又は「３Ｄ印刷」と呼ばれることもある）を含む当技術分野で周知の様々な方法によって作製することができる。
【００４６】
[0052]ポリマーのメッシュを具備する。それらの実施形態では、ポリマーメッシュは、織物メッシュ及び押出メッシュの形で得られる。いずれのタイプを用いてもよいが、押出メッシュはより平滑であり、したがってフィルタメディアの隣接層の摩耗がそれほど生じないために好ましいことがある。押出メッシュは、第１の組の平行なストランドと、第１の組のストランドを斜めに交差する第２の組の平行なストランドとを有することができる。押出メッシュは、対称又は非対称のいずれかとして分類することができる。対称メッシュでは、第１の組のストランドも第２の組のストランドも、メッシュがメッシュ製造機械から現れる方向であるメッシュのいわゆる「縦方向」に延びない。非対称メッシュでは、これらの組のストランドの一方が、縦方向に平行に延びる。本発明の実施形態によれば、対称メッシュ又は非対称メッシュのいずれかを使用することができる。
【００４７】
[0053]様々なメッシュが、本発明の実施形態による使用に適している。たとえば、適した押出ポリマーメッシュには、商標名デルネット（ＤＥＬＮＥＴ）でＳｃｈｗｅｉｔｅｒ−Ｍａｕｄｕｉｔ  Ｉｎｔｅｒｎａｔｉｏｎａｌ  Ｉｎｃ．（Ａｌｐｈａｒｅｔｔａ、ＧＡ）から入手可能なものが含まれる。
【００４８】
[0054]メッシュは、厚さ及び１インチ当たりのストランドの数によって特徴付けることができる。これらの寸法は、いかなる特定の値にも限定されるものではなく、メッシュの所望の沿層方向の流れ特性及び所望の強度に応じて選択することができる。典型的には、メッシュのメッシュ数は、１インチ当たり少なくとも約５本のストランドである。
【００４９】
[0055]ポリマーの不織布を具備する。それらの実施形態では、不織布は、濾過される流体及び温度などの該当する濾過パラメータに適したポリエステル、ポリプロピレン、又はポリアミド（たとえば、ナイロン）を含む任意のポリマー材料から製作することができる。
【００５０】
[0056]様々な不織布が、本発明の実施形態による使用に適している。たとえば、適した不織布には、商標名リーメイ（ＲＥＥＭＡＹ）（たとえば、リーメイ２０１１及びリーメイ２２５０）及びタイパー（ＴＹＰＡＲ）でＡｖｉｎｔｉｖ  Ｔｅｃｈｎｉｃａｌ  Ｎｏｎｗｏｖｅｎｓ（Ｏｌｄ  Ｈｉｃｋｏｒｙ、ＴＮ）から入手可能なポリエステルスパンボンド不織布が含まれる。
【００５１】
[0057]典型的には、メッシュ又は不織布の厚さは、約０．０００５”〜約０．０２５”（より典型的には、約０．００５”〜約０．０３０”）の範囲内であり、ボイド率は約３０％以上であるが、厚さはその範囲より大きく又は小さくすることもでき、ボイド率はその値より小さくすることもできる。メッシュ又は不織布が折畳み及び／又は波形を有するそれらの実施形態では、メッシュ又は不織布は、メッシュ又は不織布並びにフィルタ及びフィルタ要素の損傷を避けるのに十分なほど柔軟である。
【００５２】
[0058]多孔質フィルタ及び／又は多孔質フィルタ要素（たとえば、多孔質膜及び／又は多孔質の繊維メディア）は、任意の適した孔構造、たとえば孔径（たとえば、泡立ち点、若しくはたとえば米国特許第４，３４０，４７９号に記載のＫＬ、又は毛管凝縮流れ特性によって明らかである）、気孔率、孔直径（たとえば、米国特許第４，９２５，５７２号に記載の修正ＯＳＵ  Ｆ２試験を使用して特徴付けられる）、又は流体が要素を通過するときに１つ又は複数の当該物質の通過を低減若しくは許可する除去率を有することができる。使用される孔構造は、処理すべき流体の組成及び処理済み流体の所望の廃水レベルに依存する。
【００５３】
[0059]フィルタ要素は、任意の所望の臨界濡れ表面張力（ＣＷＳＴ、たとえば米国特許第４，９２５，５７２号に定義されている）を有することができる。ＣＷＳＴは、たとえば当技術分野で知られているように、たとえば米国特許第５，１５２，９０５号、第５，４４３，７４３号、第５，４７２，６２１号、及び第６，０７４，８６９号にさらに開示されているように選択することができる。要素の表面特性は、湿式若しくは乾式酸化、表面へのポリマーの被覆若しくは堆積、又はグラフト反応によって修正することができる（たとえば、ＣＷＳＴに影響を及ぼすように、表面電荷、たとえば正若しくは負の電荷を含むように、及び／又は表面の極性若しくは親水性を変えるように）。
【００５４】
[0060]フィルタは、追加の要素、層、又は構成要素を含むことができ、追加の要素、層、又は構成要素は、異なる構造及び／又は機能、たとえばフィルタメディアの上流における前濾過（プレフィルトレーション）及び／又は緩衝（損傷保護のためのフィルタメディアの上流における緩衝又は損傷保護及び／若しくはメディア支持のためのフィルタメディアの下流における緩衝）を有することができる。
【００５５】
[0061]本発明の実施形態によれば、フィルタ及び／又はフィルタ要素は、平面、プリーツ付き、及び中空円筒形を含む様々な構成を有することができる。
【００５６】
[0062]プリーツ付きフィルタを含む例示的なフィルタ及びフィルタ要素は、米国特許第５，５４３，０４７号及び第５，５５２，０４８号に開示されている。
【００５７】
[0063]複数のフィルタ要素を具備する。いくつかの実施形態では、フィルタは典型的に、少なくとも１つの入口及び少なくとも１つの出口を具備し、入口と出口との間に少なくとも１つの流体流路を画定するハウジング内に配置され、フィルタは、流体流路を横切って配置され、フィルタデバイスを形成する。フィルタデバイスは、滅菌可能であることが好ましい。少なくとも１つの入口及び少なくとも１つの出口を設けるのに適した形状の任意のハウジングを用いることができる。
【００５８】
[0064]ハウジングは、処理される流体に適合している任意の不浸透性の熱可塑性材料を含む任意の適した剛性の不浸透性材料から製作することができる。たとえば、ハウジングは、ステンレス鋼などの金属又はポリマーから製作することができる。
【００５９】
[0065]本明細書に引用した公開、特許出願、及び特許を含むあらゆる参照文献は、各参照文献が参照により組み込まれており、全体として本明細書に記載されると個別且つ具体的に示された場合と同じ程度に、参照により本明細書に組み込まれる。
【００６０】
[0066]本発明を説明する文脈（特に以下の特許請求の範囲の文脈）において、「ａ」及び「ａｎ」及び「ｔｈｅ」及び「少なくとも１つ（ａｔ  ｌｅａｓｔ  ｏｎｅ）」という用語並びに類似の指示語の使用は、本明細書に別途指示しない限り、又は文脈に明らかに矛盾しない限り、単数形及び複数形の両方を包含すると解釈されたい。「少なくとも１つ（ａｔ  ｌｅａｓｔ  ｏｎｅ）」という用語と、それに続く１つ又は複数の項目の一覧の使用（たとえば、「Ａ及びＢのうちの少なくとも１つ（ａｔ  ｌｅａｓｔ  ｏｎｅ  ｏｆ  Ａ  ａｎｄ  Ｂ）」）は、本明細書に別途指示しない限り、又は文脈に明らかに矛盾しない限り、列挙された項目から選択された１つの項目（Ａ又はＢ）又は列挙された項目の２つ以上のあらゆる組合せ（Ａ及びＢ）を意味すると解釈されたい。「具備する、具備する。、含む、構成する（ｃｏｍｐｒｉｓｉｎｇ）」、「有する（ｈａｖｉｎｇ）」、「含む（ｉｎｃｌｕｄｉｎｇ）」、及び「含む（ｃｏｎｔａｉｎｉｎｇ）」という用語は、別途記載しない限り、オープンエンド（ｏｐｅｎ−ｅｎｄｅｄ）の用語であると解釈されたい（すなわち、「〜を含むが、それだけに限定されるものではない（ｉｎｃｌｕｄｉｎｇ，  ｂｕｔ  ｎｏｔ  ｌｉｍｉｔｅｄ  ｔｏ）」を意味する）。本明細書における値の範囲の記述は、本明細書に別途指示しない限り、その範囲内に入るそれぞれ別個の値を個別に参照する簡潔な方法として働くことのみを意図したものであり、それぞれ別個の値は、本明細書に個別に記述された場合と同様に、本明細書に組み込まれる。本明細書に記載するあらゆる方法は、本明細書に別途指示しない限り、又はそうでない場合、文脈に明らかに矛盾しない限り、任意の適した順序で実行することができる。本明細書に提供されるあらゆる例又は例示的な言語（たとえば、「など（ｓｕｃｈ  ａｓ）」）の使用は、別途記載しない限り、本発明にさらに光をあてることのみを意図したものであり、本発明の範囲に限定を加えるものではない。本明細書におけるいずれの言語も、記載されていない要素が本発明の実施に本質的であることを示すと解釈されるべきではない。
【００６１】
[0067]本発明を実施する本発明者らには知られている最良の形態を含めて、本発明の好ましい実施形態が本明細書に記載されている。それらの好ましい実施形態の変形例は、上記の説明を読めば当業者には明らかになるであろう。本発明者らは、当業者であれば、そのような変形例を適当に用いることを予期し、本発明者らは、本明細書に具体的に記載した以外の方法で本発明が実施されることも意図する。したがって、本発明は、準拠法によって認められる添付の特許請求の範囲に記載の主題のあらゆる修正例及び均等物を含む。さらに、本明細書に別途指示しない限り、又はそうでない場合、文脈に明らかに矛盾しない限り、本発明のあらゆる可能な変形例における前述の要素のあらゆる組合せが、本発明によって包含される。
【符号の説明】
【００６２】
１１  第１の端部
１１’  第１の端部
１２  第２の端部
１２’  第２の端部
１５  折り目、ヒンジ
１５’  折り目、ヒンジ
２１  第１の端部
２１’  第１の端部
２２  第２の端部
２２’  第２の端部
２５  折り目
２５’  折り目
１００  第１の折畳み可能な領域
１００’  第１の折畳み可能な領域
１０１  第１の主表面
１０１’  第１の主表面
１０２  第２の主表面
１０２’  第２の主表面
２００  第２の折畳み可能な領域
２００’  第２の折畳み可能な領域
２０１  第１の主表面
２０２  第２の主表面
５００  第１の要素
５００’  第１の要素
１０００  第１の支持・ドレネージ材
１０００’  第２の支持・ドレネージ材
１５００  多孔質プリーツ付きフィルタ
１５０１  多孔質プリーツ付きフィルタ要素
１６００  フィルタカートリッジ
１６１０  外側ケージ
１６１１  内側コア
２０００  フィルタシステム
２５００  支持・ドレネージ材システム
１Ｐ１  第１の部分
１Ｐ１’  第１の部分
１Ｐ２  第２の部分
１Ｐ２’  第２の部分
２Ｐ３  第３の部分
２Ｐ３’  第３の部分
２Ｐ４  第４の部分
２Ｐ４’  第４の部分
Ｂ１  第１のバルク
Ｂ１’  第１のバルク
Ｂ２  第２のバルク
Ｂ２’  第２のバルク
【図１】
2020099896.tif 000003
【図２Ａ】
2020099896.tif 000004
【図２Ｂ】
2020099896.tif 000005
【図３Ａ】
2020099896.tif 000006
【図３Ｂ】
2020099896.tif 000007
【図４Ａ】
2020099896.tif 000008
【図４Ｂ】
2020099896.tif 000009
【図５Ａ】
2020099896.tif 000010
【図５Ｂ】
2020099896.tif 000011
【図６】
2020099896.tif 000012
【図７Ａ】
2020099896.tif 000013
【図７Ｂ】
2020099896.tif 000014
【外国語明細書】
2020099896000001.pdf